(57)【要約】【課題】本発明は送信側変調器のバイアスドリフトの推定装置、補償装置及び受信機を提供する。【解決手段】該推定装置は、受信信号に対して位相回復を行うための回復ユニット；及び、位相回復後の受信信号に基づいて、送信側変調器のバイアスドリフトを推定する推定ユニットを含む。本発明の実施例により、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、従来の送信側バイアス制御回路と同時に使用することもでき、これにより、バイアスドリフトの推定及び補償の精度をさらに向上させることができる。【選択図】図１
2017076965.tif 000002
【特許請求の範囲】
【請求項１】
送信側変調器のバイアスドリフトの推定装置であって、
受信信号にたいて位相回復を行い、送信側レーザーと受信側レーザーと間の周波数差及び位相差を除去するための回復ユニット；及び
位相回復後の受信信号に基づいて、送信側変調器のバイアスドリフトを推定するための推定ユニットを含む、推定装置。
【請求項２】
請求項1に記載の推定装置であって、
第一補償ユニットをさらに含み、
前記第一補償ユニットは、前記受信信号に対して位相回復を行う前に、前記受信信号の、受信側で生成された実部及び虚部の不均衡を補償する、推定装置。
【請求項３】
請求項1に記載の推定装置であって、
第二補償ユニットをさらに含み、
前記第二補償ユニットは、送信側変調器のバイアスドリフトを推定する前に、前記受信信号の、伝送リンク中で生成された分散を補償する、推定装置。
【請求項４】
請求項1に記載の推定装置であって、
逆多重化ユニットをさらに含み、
前記逆多重化ユニットは、受信信号に対して逆多重化を行い、２つの偏波状態の受信信号を取得し、
前記推定ユニットは、２つの偏波状態の受信信号に基づいて、送信側変調器のバイアスドリフトをそれぞれ推定する、推定装置。
【請求項５】
送信側変調器のバイアスドリフトの補償装置であって、
請求項1に記載の推定装置；及び
第三補償ユニットを含み、
前記第三補償ユニットは、推定された送信側変調器のバイアスドリフトに基づいて、送信側変調器のバイアスドリフトを補償する、補償装置。
【請求項６】
請求項5に記載の補償装置であって、
前記第三補償ユニットは、制御ユニットを含み、
前記制御ユニットは、推定された送信側変調器のバイアスドリフトに基づいて、送信側変調器のバイアスポイントを制御する、補償装置。
【請求項７】
請求項5に記載の補償装置であって、
前記第三補償ユニットは、第四補償ユニット及び第一均衡ユニットを含み、
前記第四補償ユニットは、推定された送信側変調器のバイアスドリフトに基づいて、受信信号を補償し、
前記第一均衡ユニットは、補償後の受信信号に対して均衡処理を行う、補償装置。
【請求項８】
請求項5に記載の補償装置であって、
前記第三補償ユニットは、修正ユニット及び第二均衡ユニットを含み、
前記修正ユニットは、推定された送信側変調器のバイアスドリフトに基づいて、均衡処理のための参考信号を修正し、
前記第二均衡ユニットは、修正後の参考信号に基づいて、受信信号に対して均衡処理を行う、補償装置。
【請求項９】
請求項1に記載の推定装置を含む、受信機。
【発明の詳細な説明】
【技術分野】
【０００１】
本発明は、通信技術分野に関し、特に、送信側変調器のバイアスドリフトの推定装置、補償装置及び受信機に関する。
【背景技術】
【０００２】
高速光通信システムでは、一般的に、送信側で変調器を設置して送信信号を変調することが要され、そのうち、ベクトル変調器が幅広く使用されている。ベクトル変調器は、電気域の周波数スペクトルを略損失無しに光周波数付近に移動させ、受信機側のコヒーレントモニタリング技術と共に、高周波数スペクトル利用率を実現することができる。
【０００３】
実際の使用では、変調器が正常にワーキングするようにさせるため、変調器のバイアス電圧を正確に設定する必要がある。しかし、環境温度及びレーザーの中心波長のドリフトなどが原因で、変調器の正常なバイアス点（バイアスポイント）を正確に保証することができないため、バイアスドリフトが生じてしまうことがある。なお、特殊の変調信号、例えば、QPSK（Quadrature  Phase  Shift  Keying、QPSK）又はQAM（Quadrature  Amplitude  Modulation、QAM）によるものについては、送信側でバイアス制御回路を設置することで、バイアスドリフトに対して補償を行うことができる。
【発明の概要】
【発明が解決しようとする課題】
【０００４】
上述の従来方法を用いて変調器のバイアスポイントを制御する時に、送信側でバイアス制御回路を増設する必要があるため、システムの構造が複雑になる。他の変調フォーマット、例えば、FDM（Frequency  Division  Multiplexing、FDM）又はOFDM（Orthogonal  Frequency  Division  Multiplexing、OFDM）については、該バイアス制御回路の効果が良くない。また、該バイアス制御回路のバイアスポイントへの制御精度は、高次変調フォーマットのニーズを満足することができない。
【０００５】
本発明の目的は、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、また、従来の送信側バイアス制御回路と同時に使用することもでき、これにより、バイアスドリフトの推定及補償の精度をさらに向上させることができる、送信側変調器のバイアスドリフトの推定装置、補償装置及び受信機を提供することにある。
【課題を解決するための手段】
【０００６】
本発明の第一側面によれば、送信側変調器のバイアスドリフトの推定装置が提供され、該推定装置は、
受信信号に対して位相回復を行い、送信側レーザーと受信側レーザーとの間の周波数差及び位相差を除去するための回復ユニット；及び
位相回復後の受信信号に基づいて、送信側変調器のバイアスドリフトを推定するための推定ユニットを含む。
【０００７】
本発明の第二側面によれば、送信側変調器のバイアスドリフトの補償装置が提供され、該補償装置は、
本発明の第一側面に記載の推定装置；及び
推定された送信側変調器のバイアスドリフトに基づいて、送信側変調器のバイアスドリフトに対して補償を行うための第三補償ユニットを含む。
【０００８】
本発明の第三側面によれば、受信機が提供され、該受信機は、本発明の第一側面に記載の推定装置又は本発明の第二側面に記載の補償装置を含む。
【０００９】
本発明の有益な効果は、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、また、従来の送信側バイアス制御回路と同時に使用することもでき、これにより、バイアスドリフトの推定及補償の精度をさらに向上させるができるということにある。
【図面の簡単な説明】
【００１０】
【図１】本発明の実施例1における送信側変調器のバイアスドリフトの推定装置の構成図である。
【図２】本発明の実施例1における送信側変調器の構成図である。
【図３】本発明の実施例1の回復ユニットの構成図である；
【図４】本発明の実施例2における送信側変調器のバイアスドリフトの補償装置の構成図である。
【図５】本発明の実施例2における第三補償ユニットの構成図である。
【図６】本発明の実施例2における第三補償ユニットの他の構成図である。
【図７】本発明の実施例2における第三補償ユニットの他の構成図である。
【図８】本発明の実施例3における受信機の構成図である。
【図９】本発明の実施例3における受信機のシステム構成図である。
【図１０】本発明の実施例4における送信側変調器のバイアスドリフトの推定方法のフローチャートである。
【図１１】本発明の実施例5における送信側変調器のバイアスドリフトの補償方法のフローチャートである。
【発明を実施するための形態】
【００１１】
以下、添付した図面を参照しながら、本発明を実施するための形態を詳細に説明する。
【実施例１】
【００１２】
本発明の実施例は、送信側変調器のバイアスドリフトの推定装置を提供し、該推定装置は、通信システムの受信側に用いることができる。図1は、本発明の実施例1における送信側変調器のバイアスドリフトの推定装置の構成図である。図1に示すように、該装置100は、次のユニットを含む。
【００１３】
回復ユニット101：受信信号に対して位相回復を行うことで、送信側レーザーと受信側レーザーとの間の周波数差及び位相差を除去するために用いられ；
推定ユニット102：位相回復後の受信信号に基づいて、送信側変調器のバイアスドリフトを推定するために用いられる。
【００１４】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、また、従来の送信側バイアス制御回路と同時に使用することができ、これにより、バイアスドリフトの推定及び補償の精度をさらに向上させることができる。
【００１５】
本実施例では、該受信信号とは、光通信システム中で送信側から送信された送信信号であって、伝送リンクを経て、受信側で受信された信号を指す。
【００１６】
本実施例では、送信側でベクトル変調器を使用することを例として例示的に説明する。なお、本発明はこれに限定されない。
【００１７】
図2は、本発明の実施例1における送信側変調器の構成図である。図2に示すように、レーザー201が発した光は、ベクトル変調器202により変調された後に、送信信号A(t)を形成し、ベクトル変調器202上では、３つのバイアスポイントが設定され、それぞれ、実部（実数部）バイアスポイントBias  I、虚部（虚数部）バイアスポイントBias  Q、及び位相バイアスポイントBias  Phaseであり、また、高周波入力RFもある。
【００１８】
レーザー201及びベクトル変調器202が一定時間だけワーキングした後に、環境温度の変化及びレーザーの中心波長のドリフトが生じるため、ベクトル変調器202のバイアスポイントのドリフトも生じることで、送信信号の実部又は虚部上で直流信号が生じ、これにより、実部信号及び虚部信号の幅度（amplitude）が不均衡になり、また、実部信号と虚部信号との間に余分（extra）の位相差を導入することもできる。そのため、虚部信号と実部信号との間には、幅度の不均衡及び余分の位相差が生じることがある。バイアスドリフト発生後のベクトル変調器により変調された後の送信信号は、次の公式（1）で表すことができる。
【数１】
2017076965.tif 000003
【００１９】
そのうち、A(t)は送信信号を示し、tは時間を示し、kI和kQはそれぞれ実部信号及び虚部信号の幅度を示し、I(t)及びQ(t)はそれぞれ実部信号及び虚部信号を示し、I0及びQ0はそれぞれ実部及び虚部上で生成された直流信号を示し、θは実部信号と虚部信号との間の位相差を示す。
【００２０】
本実施例では、ベクトル変調器のバイアスドリフトは、実部信号及び虚部信号の幅度の不均衡kI/kQ、実部信号上で生成された直流信号I0、虚部信号上で生成された直流信号Q0、及び実部信号と虚部信号との間の位相差θを含んでも良い。
【００２１】
本実施例では、回復ユニット101は、受信信号に対して位相回復を行い、送信側レーザーと受信側レーザーとの間の周波数差及び位相差を除去する。位相回復後の受信信号、即ち、送信側レーザーと受信側レーザーとの周波数差及び位相差が除去された後の受信信号は、送信信号を表すための上述の公式（1）で示すことができる。
【００２２】
以下、本実施例における回復ユニット101の構造及び位相回復方法について例示的に説明する。
【００２３】
図3は、本発明の実施例1における回復ユニット101の構成図である。図3に示すように、回復ユニット101は、次のユニットを含む。
【００２４】
抽出ユニット301：受信信号中のパイロット信号を抽出し、そのうち、送信側で隣接するサブキャリア間に該パイロット信号が挿入されおり；
計算ユニット302：該パイロット信号の位相に基づいて、通信システム中のレーザー位相ノイズを計算し；
第一回復ユニット303：該受信信号及び該レーザー位相ノイズに基づいて、受信信号に対してキャリア位相回復を行い；
処理ユニット304：第一回復ユニット303が受信信号に対してキャリア位相回復を行った後に、該受信信号に対してダウンサンプリング及び均衡処理を行う。
【００２５】
このように、送信側で隣接するサブキャリア間にパイロット信号を挿入することで、受信側でパイロット信号の位相に基づいてレーザー位相ノイズを直接計算し、また、該レーザー位相ノイズに基づいてキャリア位相回復を行った後に再びダウンサンプリング及び均衡処理を行うことにより、高次変調フォーマットを有する通信システム及び高倍ダウンサンプリング率を有する受信機に適用することができ、また、ワイド周波数（wide  frequency）を有するレーザー位相ノイズを正確に補償することもできる。これにより、比較強いキャリア位相回復能力を有する。
【００２６】
以上、位相回復について例示的に説明したが、本発明の実施例では該方法に限定されず、送信側レーザーと受信側レーザーとの間の周波数差及び位相差を除去することができる位相回復方法であれば、すべては本実施例に用いることができる。
【００２７】
本実施例では、推定ユニット102は、位相回復後の受信信号に基づいて、送信側変調器のバイアスドリフトを推定する。例えば、上述の公式（1）で表される位相回復後の受信信号については、従来の方法により、次のバイアスドリフト、即ち、実部信号及び虚部信号の幅度の不均衡kI/kQ、実部信号上で生成された直流信号I0、虚部信号上で生成された直流信号Q0、及び実部信号と虚部信号との間の位相差θを推定することができる。
【００２８】
例えば、以下の従来方法でkI/kQ、I0、Q0及びθを計算することができ、即ち、a）受信信号の実部及び虚部の平均値をそれぞれ計算してI0及びQ0とし；b）実部及び虚部のパワー比を計算してそのルート（root）を計算することでkI/kQを取得し；c）「実部×虚部」（掛け算）の平均値及び虚部の平方の平均値を計算して、「前者／後者」（除算）で-tan(θ)を取得することで位相差θを取得する。
【００２９】
本実施例では、図1に示すように、該送信側変調器のバイアスドリフトの推定装置100はさらに次のユニットを含んでも良く、即ち、
第一補償ユニット103：受信信号に対して位相回復を行う前に、該受信信号の、受信側で生成された実部及び虚部の不均衡に対して補償を行う。そのうち、受信側で生成された実部及び虚部の不均衡に対しての推定は、従来の方法を用いることができ、例えば、上述の従来の方法により、実部及び虚部の不均衡を推定し、そして、推定結果に基づいて受信信号に対して補償を行うことができる。
【００３０】
本実施例では、図1に示すように、該送信側変調器のバイアスドリフトの推定装置100はさらに次のユニットを含んでも良く、即ち、
第二補償ユニット104：送信側変調器のバイアスドリフトを推定する前に、該受信信号の、伝送リンク中で生成された分散（dispersion）に対して補償を行う。そのうち、従来の分散補償方法により補償を行うことができる。
【００３１】
本実施例では、図1に示すように、該送信側変調器のバイアスドリフトの推定装置100はさらに次のユニットを含んでも良く、即ち、
逆多重化ユニット105：受信信号に対して逆多重化（demultiplexing）を行い、２つの偏波（polarization）状態の受信信号を取得する。
【００３２】
推定ユニット101は、２つの偏波状態の受信信号に基づいて、送信側変調器のバイアスドリフトをそれぞれ推定する。
【００３３】
本実施例では、偏波多重化システムについては、逆多重化ユニット105を使用し、受信信号に対して逆多重化を行い、２つの偏波状態の受信信号を得ることができる。そのうち、送信信号に插入されているパイロット信号を用いて逆多重化を行っても良く、送信側のトレーニングシーケンスを用いて逆多重化を行っても良く、又は決定（decision）に基づく適応方法を用いて逆多重化を行っても良いが、これに限定去れない。
【００３４】
本実施例では、第一補償ユニット103、第二補償ユニット104及び逆多重化ユニット105は選択可能な部品であり、図1では点線の枠で表されている。
【００３５】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、また、従来の送信側のバイアス制御回路と同時に使用することもでき、これにより、バイアスドリフトの推定及び補償の精度を更に向上させることができる。
【実施例２】
【００３６】
本発明の実施例はさらに送信側変調器のバイアスドリフトの補償装置を提供し、該補償装置は、通信システムの受信側に用いることができる。図4は、本発明の実施例2における送信側変調器のバイアスドリフトの補償装置の構成図である。図4に示すように、該装置400は次のようなものを含む。
【００３７】
送信側変調器のバイアスドリフトの推定装置401；及び
第三補償ユニット402：推定された送信側変調器のバイアスドリフトに基づいて、送信側変調器のバイアスドリフトに対して補償を行う。
【００３８】
本実施例では、送信側変調器のバイアスドリフトの推定装置401の構造及び機能は、実施例1中の記載と同じであるため、ここではその詳しい説明を省略する。
【００３９】
以下、本実施例の第三補償ユニット402の構成及び送信側変調器のバイアスドリフトの補償方法について例示的に説明する。
【００４０】
図5は、本発明の実施例2における第三補償ユニットの構成図である。図5に示すように、第三補償ユニット402は次のようなものを含み、即ち、
制御ユニット501：推定された送信側変調器のバイアスドリフトに基づいて、送信側変調器のバイアスポイントに対して制御を行う。
【００４１】
本実施例では、第三補償ユニット402が制御ユニット501を含む時に、第三補償ユニット402を受信側に設置しても良く、又は、第三補償ユニット402を送信側に設定しても良い。
【００４２】
本実施例では、制御ユニット501は、推定されたバイアスドリフトに基づいて、送信側変調器のバイアスポイントに対して制御を行う。例えば、推定されたバイアスドリフトを、バイアスポイントを制御するための参考値として、バイアスポイントに対して調整を行うことにより、再び推定されたバイアスドリフトが該参考値から次第に減少するようにさせることができる。
【００４３】
図6は、本発明の実施例2における第三補償ユニット402の他の構造図である。図6に示すように、第三補償ユニット402は次のユニットを含む。即ち、
第四補償ユニット601：推定された送信側変調器のバイアスドリフトに基づいて、受信信号に対して補償を行い；
第一均衡ユニット602：補償後の受信信号に対して均衡処理を行う。
【００４４】
本実施例では、第四補償ユニット601は、推定されたバイアスドリフトに基づいて、受信信号に対して補償を行い、例えば、受信信号から、推定されたバイアスドリフト量を減算することができる。
【００４５】
本実施例では、第一均衡ユニット602が補償後の受信信号に対して行う均衡処理は、従来の方法を使用しても良く、例えば、ブラインド均衡アルゴリズム、決定（decision）に基づく適応均衡方法、及びトレーニングシーケンスに基づく均衡方法などを使っても良い。
【００４６】
図7は、本発明の実施例2における第三補償ユニット402の他の構造図である。図7に示すように、第三補償ユニット402は次のユニットを含む。即ち、
修正ユニット701：推定された送信側変調器のバイアスドリフトに基づいて、均衡処理を行うための参考信号を修正し；
第二均衡ユニット702：修正後の参考信号に基づいて、受信信号に対して均衡処理を行う。
【００４７】
本実施例では、決定に基づく適応均衡方法及びトレーニングシーケンスに基づく均衡方法については、参考信号に基づく均衡処理を行う必要があり、修正ユニット701は、推定されたバイアスドリフトに基づいて参考信号を修正し、例えば、上述の公式（1）に従って参考信号を修正することができる。第二均衡ユニット702は、該修正後の参考信号に基づいて、受信信号に対して均衡処理を行う。
【００４８】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、従来の送信側バイアス制御回路と同時に使用することもでき、これにより、バイアスドリフトの推定及び補償の精度を更に向上させることができる。
【実施例３】
【００４９】
本発明の実施例はさらに受信機を提供する。図8は、本発明の実施例3における受信機の構成図である。図8に示すように、該受信機800は、送信側変調器のバイアスドリフトの推定装置又は補償装置801を含み、該推定装置又は補償装置801の構造及び機能は、実施例1又は実施例2中の記載と同じであるため、ここではその詳しい説明を省略する。
【００５０】
図9は、本発明の実施例3における受信機のシステム構成図である。図9に示すように、受信機900は、フロントエンドを含み、その役割は、入力された光信号を２つの偏波状態のベースバンド信号に変換することにあり、本発明の実施例では、２つの偏波状態は、H偏波状態及びV偏波状態を含んでも良い。
【００５１】
図9に示すように、該フロントエンドは、ローカルレーザー910、光ミキサ（Optical  90deg  hybrid）901、光電検出器（O/E）902、904、906及び908、ADC  903、905、907及び909、分散補償器911、イコライザー912、並びに送信側変調器のバイアスドリフトの推定装置又は補償装置913を含み、そのうち、推定装置又は補償装置913の構造及び機能は、実施例1又は実施例2中の記載と同じであるため、ここではその詳しい説明を省略する。ローカルレーザー910は、ローカル光源を提供し、光信号は、光ミキサ（Optical  90deg  hybrid）901、光電検出器（O/E）902及び904、並びにADC  903及び905を経て、一つの偏波状態のベースバンド信号に変換され、また、該光信号は、光ミキサ（Optical  90deg  hybrid）901、光電検出器（O/E）906及び908、並びにADC  907及び909を経て、もう一つの偏波状態のベースバンド信号に変換される。その具体的なプロセスは、従来技術と同様であるため、ここではその詳しい説明を省略する。
【００５２】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、また、従来の送信側バイアス制御回路と同時に使用することもでき、これにより、バイアスドリフトの推定及び補償の精度を更に向上させることができる。
【実施例４】
【００５３】
本発明の実施例はさらに送信側変調器のバイアスドリフトの推定方法を提供する。それは、実施例1の送信側変調器のバイアスドリフトの推定装置に対応する。図10は、本発明の実施例4における送信側変調器のバイアスドリフトの推定方法のフローチャートである。図10に示すように、該方法は次のステップを含む。
【００５４】
ステップ1001：受信信号の、受信側で生成された実部及び虚部の不均衡に対して補償を行い；
ステップ1002：不均衡補償後の受信信号に対して位相回復を行うことにより、送信側レーザーと受信側レーザーとの間の周波数差及び位相差を除去し；
ステップ1003：受信信号の、伝送リンク中で生成された分散に対して補償を行い；
ステップ1004：分散補償後の受信信号に対して逆多重化を行うことにより、２つの偏波状態の受信信号を取得し；
ステップ1005：２つの偏波状態の受信信号に基づいて、送信側変調器のバイアスドリフトをそれぞれ推定する。
【００５５】
本実施例では、ステップ1001、1003及び1004は、選択可能なステップである。ステップ1001、1003及び1004を有しない時に、ステップ1002で受信信号に対して位相回復を直接行い、そして、ステップ1005で位相回復後の受信信号に基づいて送信側変調器のバイアスドリフトを直接推定することができる。
【００５６】
本実施例では、受信信号の、受信側で生成された実部及び虚部の不均衡の補償方法、位相回復の方法、分散補償の方法、信号逆多重化の方法、及びバイアスドリフトの推定方法は、実施例1中の記載と同じであるため、ここではその詳しい説明を省略する。
【００５７】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、従来の送信側バイアス制御回路と同時に使用することもでき、これにより、バイアスドリフトの推定及び補償の精度をさらに向上させることができる。
【実施例５】
【００５８】
本発明の実施例はさらに送信側変調器のバイアスドリフトの補償方法を提供し、それは、実施例2の送信側変調器のバイアスドリフトの補償装置に対応する。図11は、本発明の実施例5における送信側変調器のバイアスドリフトの補償方法のフローチャートである。図11に示すように、該方法は次のステップを含む。
【００５９】
ステップ1101：送信側変調器のバイアスドリフトを推定し；
ステップ1102：推定された送信側変調器のバイアスドリフトに基づいて、送信側変調器のバイアスドリフトを補償する。
【００６０】
本実施例では、送信側変調器のバイアスドリフトの推定方法は、実施例1及び実施例4中の記載と同じであるため、ここではその詳しい説明を省略する。
【００６１】
この実施例から分かるように、位相回復後の受信信号に基づいて、送信側でバイアス制御回路を増設する必要がなく、受信側でバイアスドリフトの推定及び補償を直接行うことで、システムの構造が簡単になり、各種の変調フォーマットに適用することができ、適用の範囲が広く、高次変調フォーマットのニーズを満足することができ、従来の送信側バイアス制御回路と同時に使用することもでき、これにより、バイアスドリフトの推定及び補償の精度をさらに向上させることができる。
【００６２】
本発明の実施例はさらにコンピュータ可読プログラムを提供し、そのうち、送信側変調器のバイアスドリフトの推定装置、補償装置又は受信機中で前記プログラムを実行する時に、前記プログラムは、コンピュータに、前記送信側変調器のバイアスドリフトの推定装置、補償装置又は受信機中で実施例4に記載の送信側変調器のバイアスドリフトの推定方法又は実施例5に記載の送信側変調器のバイアスドリフトの補償方法を実行させる。
【００６３】
本発明の実施例はさらにコンピュータ可読プログラムを記憶した記憶媒体を提供し、そのうち、前記コンピュータ可読プログラムは、コンピュータに、送信側変調器のバイアスドリフトの推定装置、補償装置又は受信機中で実施例4に記載の送信側変調器のバイアスドリフトの推定方法又は実施例5に記載の送信側変調器のバイアスドリフトの補償方法を実行させる。
【００６４】
また、本発明の実施例による装置及び方法は、ソフトウェアにより実現されても良く、ハードウェアにより実現されてもよく、ハードウェア及びソフトウェアの組み合わせにより実現されても良い。また、本発明はこのようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は上述のプログラムを記憶するための記憶媒体、例えば、ハードディスク、磁気ディスク、光ディスク、DVD、フラッシュメモリなどにも関する。
【００６５】
また、上述の実施例を含む実施態様に関し、次のようにさらに付記を開示する。
【００６６】
（付記1）
送信側変調器のバイアスドリフトの推定装置であって、
受信信号に対して位相回復を行い、送信側レーザーと受信側レーザーとの間の周波数差及び位相差を除去するための回復ユニット；及び
位相回復後の受信信号に基づいて、送信側変調器のバイアスドリフトを推定するための推定ユニットを含む、装置。
【００６７】
（付記2）
付記1に記載の装置であって、
第一補償ユニットをさらに含み、
前記第一補償ユニットは、前記受信信号に対して位相回復を行う前に、前記受信信号の、受信側で生成された実部及び虚部の不均衡を補償する、装置。
【００６８】
（付記3）
付記1に記載の装置であって、
第二補償ユニットをさらに含み、
前記第二補償ユニットは、送信側変調器のバイアスドリフトを推定する前に、前記受信信号の、伝送リンク中で生成された分散を補償する、装置。
【００６９】
（付記4）
付記1に記載の装置であって、
逆多重化ユニットをさらに含み、
前記逆多重化ユニットは、受信信号に対して逆多重化を行い、２つの偏波状態の受信信号を取得し、
前記推定ユニットは、２つの偏波状態の受信信号に基づいて、送信側変調器のバイアスドリフトをそれぞれ推定する、装置。
【００７０】
（付記5）
送信側変調器のバイアスドリフトの補償装置であって、
付記1〜4の任意の１項に記載の推定装置；及び
第三補償ユニットを含み、
前記第三補償ユニットは、推定された送信側変調器のバイアスドリフトに基づいて、送信側変調器のバイアスドリフトを補償する、装置。
【００７１】
（付記6）
付記5に記載の装置であって、
前記第三補償ユニットは、制御ユニットを含み、
前記制御ユニットは、推定された送信側変調器のバイアスドリフトに基づいて、送信側変調器のバイアスポイントを制御する、装置。
【００７２】
（付記7）
付記5に記載の装置であって、
前記第三補償ユニットは、
推定された送信側変調器のバイアスドリフトに基づいて、受信信号を補償するための第四補償ユニット；及び
補償後の受信信号に対して均衡処理を行うための第一均衡ユニットを含む、装置。
【００７３】
（付記8）
付記5に記載の装置であって、
前記第三補償ユニットは、
推定された送信側変調器のバイアスドリフトに基づいて、均衡処理のための参考信号を修正するための修正ユニット；及び
修正後の参考信号に基づいて、受信信号に対して均衡処理を行うための第二均衡ユニットを含む、装置。
【００７４】
（付記9）
受信機であって、付記1〜8の任意の１項に記載の装置を含む、受信機。
【００７５】
（付記10）
送信側変調器のバイアスドリフトの推定方法であって、
受信信号に対して位相回復を行い、送信側レーザーと受信側レーザーとの間の周波数差及び位相差を除去し；及び
位相回復後の受信信号に基づいて、送信側変調器のバイアスドリフトを推定することを含む、方法。
【００７６】
（付記11）
付記10に記載の方法であって、
前記受信信号に対して位相回復を行う前に、前記受信信号の、受信側で生成された実部及び虚部の不均衡を補償することをさらに含む、方法。
【００７７】
（付記12）
付記10に記載の方法であって、
送信側変調器のバイアスドリフトを推定する前に、前記受信信号の、伝送リンク中で生成された分散を補償することをさらに含む、方法。
【００７８】
（付記13）
付記10に記載の方法であって、
受信信号に対して逆多重化を行い、２つの偏波状態の受信信号を取得することをさらに含み、
位相回復後の受信信号に基づいて送信側変調器のバイアスドリフトを推定することは、２つの偏波状態の受信信号に基づいて、送信側変調器のバイアスドリフトをそれぞれ推定することを含む、方法。
【００７９】
（付記14）
送信側変調器のバイアスドリフトの補償方法であって、
付記10〜13の任意の１項に記載の推定方法；及び
推定された送信側変調器のバイアスドリフトに基づいて、送信側変調器のバイアスドリフトを補償することを含む、方法。
【００８０】
（付記15）
付記14に記載の方法であって、
推定された送信側変調器のバイアスドリフトに基づいて送信側変調器のバイアスドリフトを補償することは、
推定された送信側変調器のバイアスドリフトに基づいて、送信側変調器のバイアスポイントを制御することを含む、方法。
【００８１】
（付記16）
付記14に記載の方法であって、
推定出された送信側変調器のバイアスドリフトに基づいて、送信側変調器のバイアスドリフトを補償することは、
推定された送信側変調器のバイアスドリフトに基づいて、受信信号を補償し；及び
補償後の受信信号に対して均衡処理を行うことを含む、方法。
【００８２】
（付記17）
付記14に記載の方法であって、
推定された送信側変調器のバイアスドリフトに基づいて送信側変調器のバイアスドリフトを補償することは、
推定された送信側変調器のバイアスドリフトに基づいて、均衡処理のための参考信号を修正し；及び
修正後の参考信号に基づいて、受信信号に対して均衡処理を行うことを含む、方法。
【００８３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2017076965.tif 000004
【図２】
2017076965.tif 000005
【図３】
2017076965.tif 000006
【図４】
2017076965.tif 000007
【図５】
2017076965.tif 000008
【図６】
2017076965.tif 000009
【図７】
2017076965.tif 000010
【図８】
2017076965.tif 000011
【図９】
2017076965.tif 000012
【図１０】
2017076965.tif 000013
【図１１】
2017076965.tif 000014